(57)【要約】【課題】両開きドアの召合せ部の下方部位の水密性能を向上させる。【解決手段】第１扉体２と第２扉体３からなる両開きドア装置の召合せ部の防水構造であり、第１扉体２の戸先側に設けられ、開口部閉鎖時に第２扉体３の戸先側部位が密着する召合せ部用水密部材（第２水密部材）６と、ドア枠の下枠１３に設けられ、開口部閉鎖時に第１扉体２及び第２扉体３の下端部位、及び、召合せ部用水密部材６の下端部位が密着する下枠側水密部材（第１水密部材）４と、第１扉体２の戸先側の下方部位に設けられ、召合せ部用水密部材６の下方部位に密着する第１扉体側水密部材（第３水密部材）７とを備えている。【選択図】図１９
2018172872.tif 000002
【特許請求の範囲】
【請求項１】
第１扉体と第２扉体からなる両開きドア装置の召合せ部の防水構造であって、
第１扉体の戸先側に位置させて高さ方向に設けられ、開口部閉鎖時に第２扉体の戸先側部位が密着する召合せ部用水密部材と、
前記召合せ部の下部に設けられ、前記第１扉体の下方部位と前記召合せ部用水密部材の下方部位との間の水密性を確保する下方水密部材と、
を備えた、
両開きドア装置の召合せ部の防水構造。
【請求項２】
前記下方水密部材は、前記第１扉体の下方部位に密着、または固定されており、前記召合せ部用水密部材の下方部位に密着、または固定、または一体形成されている、
請求項１に記載の防水構造。
【請求項３】
前記召合せ部用水密部材は、第１扉体の戸先側に位置させて高さ方向に設けられた支持部に装着されており、前記召合せ部用水密部材の前記下方部位は、前記支持部の下端よりも下方に位置する部位である、
請求項１、２いずれか１項に記載の防水構造。
【請求項４】
ドア装置のドア枠の下枠には、開口部閉鎖時に第１扉体及び第２扉体、及び、前記召合せ部用水密部材が密着する下枠側水密部材が設けてある、
請求項１〜３いずれか１項に記載の防水構造。
【請求項５】
前記召合せ部用水密部材の下方部位は、上側部と下側部とからなり、前記下方水密部材は少なくとも前記上側部に密着しており、開口部閉鎖時に前記下側部は前記下枠側水密部材に密着する、
請求項４に記載の防水構造。
【請求項６】
開口部閉鎖時には、前記下方水密部材の部分が前記下枠側水密部材に密着する、
請求項４、５いずれか１項に記載の防水構造。
【請求項７】
前記下方水密部材は、第１扉体の戸先側の下方部位に設けられ、前記召合せ部用水密部材の下方部位に密着ないし固定される、
請求項１〜６いずれか１項に記載の防水構造。
【請求項８】
前記下方水密部材は、前記第１扉体の下方部位の第１面部及び戸先側端面で形成される角部を覆うように設けてある、
請求項７に記載の防水構造。
【請求項９】
前記下方水密部材は、前記召合せ部用水密部材の下方部位に設けられ、前記第１扉体の戸先側の下方部位に密着ないし固定される、
請求項１〜６いずれか１項に記載の防水構造。
【発明の詳細な説明】
【技術分野】
【０００１】
本発明は、両開きドアの召合せ部の防水構造に係り、特に、召合せ部の下部の防水構造に関するものである。
【背景技術】
【０００２】
気密性や水密性が要求されるドア装置では、ドア枠に四周状に気密部材ないし水密部材を設け、開口部閉鎖時に扉体の室内側の四周の周縁が気密性部材ないし水密部材を押圧することで、気密性ないし水密性を確保するようにしている。開口閉鎖時に２枚の扉体の戸先側部位同士が召合せ部を形成する両開きドアでは、一方の扉体に突成した支持部（溝部ないしポケットを形成する）に召合せ部用の気密部材ないし水密部材を設け、開口部閉鎖時に他方の扉体の戸先側部位が当該気密部材ないし水密部材に密着することで、召合せ部の気密性ないし水密性を確保するようにしている（特許文献１〜５）。
【０００３】
両開きドアに水密性能が要求される場合には、特に、召合せ部の下部において僅かな隙間が生じると、かかる隙間からの漏水をきっかけに建物内部へ浸水が発生するおそれがある。したがって、水密性能が要求される両開きドアにおいて、いかに召合せ部の下部の漏水を防止するかが重要である。上記特許文献１〜５において、それぞれ召合せ部の下部の気密構造ないし水密構造が開示されているが、召合せ部の下部の防水性能の向上のさせ方については、召合せ部の構成に応じて、様々なアプローチがあると考えられる。
【０００４】
本発明者等は、召合せ部用水密部材の下方部位と、当該召合せ部用水密部材が設けられた第１扉体（開口部閉鎖時に当該召合せ部用水密部材に密着する第２扉体ではない）の下方部位との水密性に着目することで、召合せ部の下部の防水性能を向上させることを考えた。
【特許文献１】実公昭５５−２７３５４
【特許文献２】特開２０００−９６９４５
【特許文献３】特開２００４−６０３８１
【特許文献４】特開２０１５−１７５０８８
【特許文献５】特開２０１６−８９５８６号
【発明の開示】
【発明が解決しようとする課題】
【０００５】
本発明は、両開きドアの召合せ部の下部の防水性能を向上させることを目的とするものである。
【課題を解決するための手段】
【０００６】
本発明が採用した技術手段は、
第１扉体と第２扉体からなる両開きドア装置の召合せ部の防水構造であって、
第１扉体の戸先側に位置させて高さ方向に設けられ、開口部閉鎖時に第２扉体の戸先側部位が密着する召合せ部用水密部材と、
前記召合せ部の下部に設けられ、前記第１扉体の下方部位と前記召合せ部用水密部材の下方部位との間の水密性を確保する下方水密部材と、
を備えた、
両開きドア装置の召合せ部の防水構造、である。
【０００７】
１つの態様では、前記下方水密部材は、前記第１扉体の下方部位に密着、または固定されており、前記召合せ部用水密部材の下方部位に密着、または固定、または一体形成されている。
１つの態様では、前記下方水密部材（後述する下方水密部材７参照）は、第１扉体の戸先側の下方部位に設けられ、前記召合せ部用水密部材の下方部位に密着ないし固定される。
１つの態様では、前記下方水密部材（後述する下方水密部材４´参照）は、第１扉体の戸先側を含む幅方向全体に亘って設けてもよい。
１つの態様では、前記下方水密部材（後述する下方水密片６参照）は、前記召合せ部用水密部材の下方部位に設けられ、前記第１扉体の戸先側の下方部位に密着ないし固定される。
１つの態様では、前記下方水密部材は、前記召合せ部用水密部材の下方部位を含む高さに亘って設けた水密部材の下方部位から構成される。
１つの態様では、前記召合せ部用水密部材の下方部位に設けた下方水密部材は、前記第１扉体の戸先側端面に密着ないし固定される。例えば、後述する下方水密部材９は、第１部分９０が第２水密部材（召合せ部用水密部材）の前面６０に設けられ、第２部分９１が第１扉体の戸先側端面に設けられる。
【０００８】
１つの態様では、前記召合せ部用水密部材は、第１扉体の戸先側に位置させて高さ方向に設けられた支持部に装着されており、前記召合せ部用水密部材の前記下方部位は、前記支持部の下端よりも下方に位置する部位である。
前記支持部は、前記第１扉体の戸先側に突成した部位（突設部５のような凸部や枠体）から形成され、当該支持部の溝部ないしポケット部に召合せ部用水密部材が装着される。
１つの態様では、ドア装置のドア枠の下枠には、開口部閉鎖時に第１扉体及び第２扉体、及び、前記召合せ部用水密部材が密着する下枠側水密部材が設けてある。
１つの態様では、前記召合せ部用水密部材の下方部位は、上側部と下側部とからなり、前記下方水密部材は少なくとも前記上側部に密着しており、開口部閉鎖時に前記下側部は前記下枠側水密部材に密着する。
１つの態様では、開口部閉鎖時には、前記下方水密部材の部分が前記下枠側水密部材に密着する。
【０００９】
１つの態様では、前記下方水密部材は、前記第１扉体の下方部位の第１面部及び戸先側端面で形成される角部を覆うように設けてある。
１つの態様では、開口部閉鎖時には、前記第２扉体の第１面部の戸先側部位が前記召合せ部用水密部材に密着する。
１つの態様では、前記角部が、前記下方水密部材を介して前記召合せ部用水密部材に密着する。
１つの態様では、前記召合せ部用水密部材は、前面と、第１側面、第２側面を備え、前記下方水密部材は、前記召合せ部用水密部材の前面と第１側面との角部に密着し、開口部閉鎖時には前記第２扉体の戸先側部位が前記面部の第２側面寄りの部位に密着する。
１つの態様では、前記第１扉体の下方部位の前記角部が、前記下方水密部材を介して、前記召合せ部用水密部材の前記角部に密着する。
１つの態様では、前記下方水密部材は、戸先側端面に位置する第１部分と、第１面部に位置する第２部分と、からなる。
１つの態様では、開口部閉鎖時には、前記第２部分が前記下枠側水密部材に密着する。
１つの態様では、前記第１面部は、室内側面部である。
１つの態様では、前記支持部は、第１扉体の戸先側かつ室内側に位置して、室外側に向かって開口しており、当該支持部に前記召合せ部用水密部材が装着される。
前記召合せ部用水密部材は、複数の要素から形成してもよく、例えば、高さ方向に分割された複数の要素を互いに密着させて形成してもよい。
前記下枠側水密部材は、複数の要素から形成してもよく、例えば、長さ方向（開口幅方向）に分割された複数の要素を互いに密着させて形成してもよい。
１つの態様では、本明細書に記載された全ての水密部材は、ゴム部材である。
【発明の効果】
【００１０】
本発明は、第１扉体と第２扉体からなる両開きドア装置の召合せ部の下部において、前記召合せ部の下部に、前記第１扉体の下方部位と前記召合せ部用水密部材の下方部位との間の水密性を確保する下方水密部材を設けたので、第１扉体の下方部位と召合せ部用水密部材の下方部位との間からの漏水を防止し、召合せ部の下部の防水性能を向上させる。
特に、前記召合せ部用水密部材が、第１扉体の戸先側に位置させて高さ方向に延びるように設けられた支持部に装着されており、前記召合せ部用水密部材の下方部位が、前記支持部の下端よりも下方に位置する部位である場合に、かかる下方部位と第１扉体の下方部位との間からの漏水を防止する。
【図面の簡単な説明】
【００１１】
【図１】本実施形態に係るドア装置（全閉状態）を室外側から見た正面図である。
【図２】本実施形態に係るドア装置（全閉状態）を室内側から見た正面図である。
【図３】本実施形態に係るドア装置（全閉状態）の左側の扉体（第１扉体）における縦断面図である。
【図４】本実施形態に係るドア装置（全閉状態）の横断面図である。
【図５】図３の下方部位の部分拡大図である。
【図６】図４における召合せ部の部分拡大図である。
【図７】図１において、右側の扉体（第２扉体）を取り除いた状態を示す図である。
【図８】図７における第１扉体の下端部位の部分拡大図である。
【図９】第１扉体を室外側から見た正面図である。
【図１０】第１扉体の下方部位の部分斜視図であり、第１扉体の下方部位に対する第３水密部材（下方水密部材）の取り付けを示す図である。
【図１１】第１扉体の平面図であり、第１扉体の下方部位に対する第３水密部材（下方水密部材）の取り付けを示す図である。
【図１２】第１扉体の下方部位を下方から見た部分斜視図であり、第１扉体の下方部位に対する第３水密部材（下方水密部材）の取り付けを示す図である。
【図１３】第１扉体の下方部位の部分斜視図であり、第１扉体に対する第２水密部材（召合せ部用水密部材）の取り付けを示す図である。
【図１４】第１扉体の下方部位及び下枠の部分斜視図であり、第１扉体に設けられた第２水密部材（召合せ部用水密部材）及び第３水密部材（下方水密部材）、及び下枠に設けられた第１水密部材（下枠側水密部材）を示す図である。
【図１５】（Ａ）は第２水密部材（召合せ部用水密部材）の下方部位を示す図であり、（Ｂ）は第２水密部材（召合せ部用水密部材）の下方部位と下枠に設けた第１水密部材（下枠側水密部材）との取り合いを示す図である。
【図１６】第１扉体の下端部位の水密構造を示す図である。
【図１７】第１扉体の下端部位の水密構造を示す図であり、図１６の状態から室外側から室内側に向けて扉体が押圧された状態を示す。
【図１８】図１６の部分拡大図である。
【図１９】図１６におけるＡ−Ａ断面図である。
【図２０】図１６におけるＢ−Ｂ断面図である。
【図２１】図２０に類似の図であって、第３水密部材（下方水密部材）を有しない場合を示す図である。
【図２２】第３水密部材（下方水密部材）の他の実施形態を示す図である。
【図２３】第３水密部材（下方水密部材）の他の実施形態を示す図である。
【図２４】第３水密部材（下方水密部材）の他の実施形態を示す図である。
【図２５】召合せ部の上部の水密構造を説明する図であり、ドア装置（全閉状態）の左側の扉体（第１扉体）の上方部位の縦断面図である。
【図２６】召合せ部の上部の水密構造に用いられる第２水密部材（召合せ部用水密部材）の上方部位を示す図である。
【図２７】図２５における第２水密部材（召合せ部用水密部材）の上方部位の矢視断面図である。
【発明を実施するための形態】
【００１２】
本発明の実施形態を図面に基づいて説明する。図１は、本実施形態に係るドア装置（全閉状態）を室外側から見た正面図、図２は、当該ドア装置を室内側から見た正面図である。図３、図４は、それぞれ、本実施形態に係るドア装置（全閉状態）の縦断面図、横断面図である。図３において、左側が室外側、右側が室内側であり、図４において、下側が室外側、上側が室内側である。本実施形態に係る防水構造は、室外側で発生した水が室内側へ浸水することを防止するように設計されている。本明細書において、「室外側」、「室内側」は、ある要素が実際に室外側、室内側に位置する場合を規定するのみならず、ある要素の部位や部分を規定することにも用いられ、例えば、実際に室内側に位置する要素において室外側に近い部位を規定することに用いられる。
【００１３】
図１〜図４に示すように、ドア装置は、いわゆる両開きドアであり、建物開口部を形成するドア枠１と、当該建物開口部を開閉する第１扉体２及び第２扉体３と、からなる。ドア枠１は、水平状に延びる上枠１０と、垂直状に延びる第１縦枠１１と、垂直状に延びる第２縦枠１２と、水平状に延びる下枠１３と、から四周枠状に形成されている。第１扉体２の戸尻側部位が第１縦枠１１に回動可能に装着されており、第２扉体３の戸尻側部位が第２縦枠１２に回動可能に装着されており、開口部全閉状態において、第１扉体２の戸先側部位と第２扉体３の戸先側部位が召合せ部を形成する。第１扉体２、第２扉体３は、閉鎖姿勢から室外側に向かって回動させることで建物開口部を開放するようになっている。通常時には、第１扉体２を閉鎖姿勢として建物開口部の一方の幅方向半部が閉鎖されており、建物開口部の他方の幅方向半部を第２扉体３の開閉によって開放・閉鎖するようにしており、第２扉体３が親扉ないし主扉、第１扉体２が子扉ないし副扉として機能する。また、必要に応じて、第１扉体２、第２扉体３の両方を開放して建物開口部全幅を開放するようになっている。
【００１４】
第１扉体２は、縦長方形状の室外側面部２０と、縦長方形状の室内側面部２１と、上面部２２と、戸尻側端面２３と、戸先側端面２４と、下面部２５とを備えている。図５に示すように、下面部２５は、断面視下向き凹状に形成され、下端部２５０を備えているが、下面部２５の形状は図示の形状に限定されない。第１扉体２の室外側面部２０の戸尻側は、丁番２６によってドア枠１の第１縦枠１１に回動可能に取り付けられている。第１扉体２の室内側面部２１の上方にはドアクローザ２７が設けてある。第１扉体２の室外側面部２０及び室内側面部２１の下方部位には第１扉体２の押圧手段としてのグレモンハンドル２８が設けてある。
【００１５】
第２扉体３は、縦長方形状の室外側面部３０と、縦長方形状の室内側面部３１と、上面部３２と、戸尻側端面３３と、戸先側端面３４と、下面部３５とを備えている。第２扉体３の下面部３５は、第１扉体２の下面部２５と同様に断面視下向き凹状（図示せず）に形成されているが、下面部３５の形状は限定されない。第２扉体３の室外側面部３０の戸尻側は、丁番３６によってドア枠１の第２縦枠１２に回動可能に取り付けられている。第２扉体３の室内側面部３１の上方にはドアクローザ３７が設けてある。第２扉体３の室外側面部３０及び室内側面部３１の下方部位には第２扉体３の押圧手段としてのグレモンハンドル３８が設けてある。第２扉体３の室外側面部３０及び室内側面部３１の戸先側には、第２扉体３の開閉操作に用いられるハンドル３９が装着されている。
【００１６】
第１扉体２、第２扉体３は、共に内部にフレーム構造（骨組）を備えている。フレーム構造は、水平状に延びる上フレームＦ１、垂直状に延びる戸先側縦フレームＦ２、垂直状に延びる戸尻側縦フレームＦ３、水平状に延びる下フレームＦ４を四周枠状に連結（溶接）してなる。第１扉体２及び第２扉体３の表面は、金属製板材（鋼板）を所定形状に折り曲げて形成した複数枚の金属製表面材を上記フレーム構造に貼り付けることで形成される。第１扉体２の上面部２２、戸尻側端面２３、戸先側端面２４、下面部２５、室外側面部２０の四周縁、室内側面部２１の四周縁、及び、第２扉体３の上面部３２、戸尻側端面３３、戸先側端面３４、下面部３５、室外側面部３０の四周縁、室内側面部３１の四周縁は、いずれもフレーム構造によって支持されており、強い力が作用しても耐え得るように構成されている。
【００１７】
図３、図４に示すように、ドア枠１には、室外側に向かって開口する凹状の溝部Ｇ１、Ｇ２、Ｇ３、Ｇ４が四周状に形成されており、四周状の溝部Ｇ１〜Ｇ４には、四周状の溝部全長に亘って弾性を備えた第１水密部材４が装着されている。図１０等に示すように、第１扉体２の室内側面部２１の戸先側部位には、室外側に向かって開口する凹状の溝部Ｇ５が高さ方向に亘って形成されており、溝部Ｇ５には高さ方向に亘って第２水密部材６が装着されている。
【００１８】
第１扉体２及び第２扉体３によって建物開口部を閉鎖した状態で、第１扉体２の室内側面部２１の上側部位、下側部位、戸尻側部位、第２扉体３の室内側面部３１の上側部位、下側部位、戸尻側部位が第１水密部材４に接触することで、建物開口部の四周に位置して四周状の密閉構造が形成される（図３、図４参照）。また、第２扉体３の室内側面部３１の戸先側部位が第２水密部材６（第１扉体２の戸先側端面２４から見付方向に離間するように持ち出し状に設けてある）に接触することで、召合せ部における高さ方向の密閉構造が形成される。さらに、この閉鎖状態において、グレモンハンドル２８、３８によって、第１扉体２、第２扉体３を室内側に引き寄せることによって、第１扉体２の室内側面部２１の上側部位、下側部位、戸尻側部位が第１水密部材４に圧接され、第２扉体３の室内側面部３１の上側部位、下側部位、戸尻側部位が第１水密部材４に圧接されて、建物開口部の四周に位置して四周状の水密構造が形成される。また、第２扉体３の室内側面部３１の戸先側部位が第２水密部材６に圧接されることで、召合せ部における高さ方向の水密構造が形成される。
【００１９】
本実施形態では、丁番２６、３６としていわゆる二軸丁番を採用しており、閉鎖状態にある第１扉体２、第２扉体３を全体として、室内側に向かって押し込む（水圧や押圧手段による押圧）ことが可能となっており、通常の閉鎖姿勢にある第１扉体２、第２扉体３を押し込んで、第１扉体２及び第２扉体３の室内側面部２１、３１の周囲（戸先側部位を除く）を第１水密部材４に密着させ、第２扉体３の室内側面部３１の戸先側部位を第２水密部材６に密着させることで、より密閉した状態で第１扉体２、第２扉体３を閉鎖できるようになっている。
【００２０】
上枠１０は、開口幅方向に延びる長尺要素であり、図３に示すように、室外側上面１００と、室外側上面１００よりも低い位置の室内側上面１０１とを備え、室外側上面１００と室内側上面１０１との段差部には、室外側に向かって開口し、開口幅方向に水平に延びる凹状の溝部Ｇ１が形成されている。室外側上面１００は、全閉姿勢にある第１扉体２の上面部２２、第２扉体３の上面部３２の上側に位置して、上面部２２、３２に近接対向するように延び、溝部Ｇ１は、全閉姿勢にある第１扉体２の室内側面部２１の上方部位、第２扉体３の室内側面部３１の上方部位に対向する。溝部Ｇ１には、第１水密部材（上枠側水密部材）４が装着されており、全閉姿勢にある第１扉体２の室内側面部２１の上方部位、第２扉体３の室内側面部３１の上方部位は第１水密部材（上枠側水密部材）４に密着するようになっている。
【００２１】
下枠１３は、開口幅方向に延びる長尺要素であり、図３に示すように、室外側下面１３０と、室外側下面１３０よりも高い位置の室内側下面１３１とを備え、室外側下面１３０と室内側下面１３１との段差部には、室外側に向かって開口し、開口幅方向に水平に延びる凹状の溝部Ｇ４が形成されている。室外側下面１３０は、室外側に向かって下向き傾斜状の傾斜面であり、全閉姿勢にある第１扉体２の下面部２５、第２扉体３の下面部３５の下側に位置して、下面部２５、３５に近接対向するように延び、溝部Ｇ４は、全閉姿勢にある第１扉体２の室内側面部２１の下端部、全閉姿勢にある第２扉体３の室内側面部３１の下端部に対向する。溝部Ｇ４には、第１水密部材（下枠側水密部材）４が装着されており、全閉姿勢にある第１扉体２の室内側面部２１の下端部、第２扉体３の室内側面部３１の下端部は第１水密部材（下枠側水密部材）４に密着するようになっている。
【００２２】
第１縦枠１１は、開口高方向に延びる長尺要素であり、図４に示すように、室外側見込面１１０と、室外側見込面１１０よりも開口幅方向内側に位置する室内側見込面１１１とを備え、室外側見込面１１０と室内側見込面１１１との段差部には、室外側に向かって開口し、開口高方向に垂直に延びる凹状の溝部Ｇ２が形成されている。室外側見込面１１０は、全閉姿勢にある第１扉体２の戸尻側端面２３に近接対向するように延び、溝部Ｇ２は、全閉姿勢にある第１扉体２の室内側面部２１の戸尻側端部に対向する。溝部Ｇ２には、第１水密部材（縦枠側水密部材）４が装着されており、全閉姿勢にある第１扉体２の室内側面部２１の戸尻側端部は第１水密部材（縦枠側水密部材）４に密着するようになっている。
【００２３】
第２縦枠１２は、開口高方向に延びる長尺要素であり、図４に示すように、室外側見込面１２０と、室外側見込面１２０よりも開口幅方向内側に位置する室内側見込面１２１とを備え、室外側見込面１２０と室内側見込面１２１との段差部には、室外側に向かって開口し、開口高方向に垂直に延びる凹状の溝部Ｇ３が形成されている。室外側見込面１２０は、全閉姿勢にある第２扉体３の戸尻側端面３３に近接対向するように延び、溝部Ｇ３は、全閉姿勢にある第２扉体３の室内側面部３１の戸尻側端部に対向する。溝部Ｇ３には、第１水密部材（縦枠側水密部材）４が装着されており、全閉姿勢にある第２扉体３の室内側面部３１の戸尻側端部は第１水密部材（縦枠側水密部材）４に密着するようになっている。
【００２４】
第１水密部材４は、溝部Ｇ１〜Ｇ４の長さに沿って延びる長尺部材であり、上枠１０に形成された溝部Ｇ１、戸先側縦枠１１に形成された溝部Ｇ２、戸尻側縦枠１２に形成された溝部Ｇ３、下枠１３に形成された溝部Ｇ４内の全長に亘って四周状に装着されている。典型的な実施形態では、第１水密部材４は、ゴムから形成された水密ゴムである。
【００２５】
本実施形態では、図５、図１５（Ｂ）に示すように、第１水密部材４は、溝部Ｇ１〜Ｇ４に挿入される基部４０と、中空状で概ね円筒状の膨出部４１と、膨出部４１に突成されたフィン４２と、基部４０から膨出部４１の中空部に突成された中実の台座４３と、を備えている。基部４０、膨出部４１、フィン４２、台座４３は溝部Ｇ１〜Ｇ４の長さに沿って延びる長尺状要素である。第１水密部材４は、短尺の要素を長さ方向に密着させて接続して形成してもよい。
【００２６】
第１扉体２、第２扉体３が閉鎖姿勢にある時に、第１扉体２及び第２扉体３に室内側への押圧力が作用しない状態では、第１扉体２の室内側面部２１及び第２扉体３の室内側面部３１の上側部位、下側部位、戸尻側部位が第１水密部材４の膨出部４１に接触する一方、膨出部４１の内面と台座４３とは離間している（図１６参照）。この状態から、閉鎖姿勢の第１扉体２及び第２扉体３に室内側への押圧力が作用した時には、室内側へ変位する第１扉体２、第２扉体３に押圧されて潰れるように変形した膨出部４１の内面が台座４３に当接し、台座４３によって内側から支持された膨出部４１の外面に室内側面部２１及び室内側面部３１の上側部位、下側部位、戸尻側部位が密着する（図１７参照）。
【００２７】
次に、第１扉体２と第２扉体３の召合せ部の構成について説明する。第１扉体２の戸先側端面２４の室外側部位には段部が形成されている。より具体的には、図６に示すように、第１扉体２の戸先側部位は、室内側面部２１の戸先側端縁から室外側に向かって見込方向に延びる戸先側端面２４と、戸先側端面２４の室外側端縁から戸尻側に向かって見付方向に延びる戸先側見付面２４０と、戸先側見付面２４０の戸尻側端縁から室外側面部２０に向かって見込方向に延びる室外側見込面２４１とからなり、戸先側見付面２４０と室外側見込面２４１で段部が形成されている。
【００２８】
第２扉体３の戸先側端面３４の室外側部位には戸先側端面３４から見付方向に突出する突片３４０が形成されている。突片３４０は第２扉体３の室外側面部３０の戸先側を、戸先側端面３４を越えて突出させるようにして形成されている。第１扉体２及び第２扉体３の閉鎖姿勢において、第１扉体２の戸先側端面２４と第２扉体３の戸先側端面３４が対向しており、第２扉体３の突片３４０が第１扉体２の戸先側見付面２４０に対向し、突片３４０の先端が第１扉体２の室外側見込面２４１に対向している。なお、第１扉体２の戸先側端面２４は段部を有しないものでもよく、この場合、第２扉体３の突片は、第１扉体の室外側面部２０の戸先側部位に対向するように延びるものでもよく、この場合、突片は第２扉体３の室外側面部３０に対して室外側に偏倚して延びる。
【００２９】
第１扉体２の室内側面部２１の戸先側部位には、高さ方向に亘って延びる突設部５が設けてある。突設部５は、室内側面部２１に当接して取り付けられる室外側見付面５０を有しており、突設部５には、室外側見付面５０の戸先側に位置して、第１扉体２の戸先側端面２４から見付方向（戸尻側端面２３から離間する方向）に持ち出し状に形成され、かつ、室外側に向かって開口する溝部Ｇ５が高さ方向に亘って設けられている。溝部Ｇ５は、第２水密部材６を取り付けるためのポケットである。本実施形態では、突設部５は、第２水密部材６が取り付けられる溝部Ｇ５を提供し、第１扉体２の閉鎖姿勢の固定手段としてのフランス落とし８（後述する）が取り付けられる。
【００３０】
より具体的には、図６に示すように、突設部５は、室外側見付面５０と、室外側見付面５０の戸尻側端部から室内側に向かって見込方向に延びる戸尻側見込面５１と、戸尻側見込面５１の室内側端部から戸先側に向かって見付方向に延びる室内側見付面５２と、室内側見付面５２の戸先側端部から室外側に向かって見込方向に延びる中間見込面５３と、中間見込面５３の室外側端部から戸先側に向かって見付方向に延びる中間見付面５４と、中間見付面５４の戸先側端部から室外側に向かって見込方向に延びる戸先側見込面５５と、室外側見付面５０の戸先側端部から室内側に向かって延びる第１側面５６と、第１側面５６に離間対向する第２側面５７と、第１側面５６の室内側端部と第２側面５７の室内側端部とを結ぶ底面５８と、を備えている。突設部５の形状は、図示のものに限定されない。例えば、突設部５がフランス落とし８を有しない場合には、突設部５を室外側見付面５０と溝部Ｇ５（第１側面５６、第２側面５７、底面５８）からシンプルに形成してもよい。
【００３１】
突設部５において、第１側面５６、第２側面５７、底面５８から溝部Ｇ５が形成されている。突設部５の第１側面５６と第１扉体２の戸先側端面２４は面一となっている。第１側面５６と第２側面５７との間の距離、すなわち、溝部Ｇ５の溝幅は、第１扉体２の戸先側端面２４と第２扉体３の戸先側端面３４との間の距離よりも大きい。戸先側見込面５５と第２側面５７から突片５９が形成されており、突片５９の先端は、閉鎖姿勢にある第２扉体３の室内側面部３１に対して離間対向している。また、平面視において、突片５９の先端は、下枠１３の室内側下面１３１の室外側先端に一致している。
【００３２】
溝部Ｇ５には、全高に亘って第２水密部材６が装着されている。第２水密部材６は、前面６０、後面６１、第１側面６２、第２側面６３から断面視方形状に形成され、高さ方向に延びる中実の長尺部材である。典型的な実施形態では、第２水密部材６は、ゴムから形成された水密ゴムである。第２水密部材６の上方部位は、突設部５の上端５００から上方に突出しており、第２水密部材６の上面６０１は、上枠１０の室内側上面１０１の室外側部位に接触している。図５、図１２、図１４等に示すように、第２水密部材６は、突出部５の下端５０１から下方に突出する下方部位を有しており、図１５（Ａ）に示すように、第２水密部材６の下面は前面６０側の最下端の第１下端面６４、中間の第２下端面６５、後面６１側の第３下端面６６から階段状になっており、第１下端面６４と第２下端面６５は第１垂直面６７で連結され、第２下端面６５と第３下端面６６は第２垂直面６８で連結されている。第２水密部材６の下方部位には、室外側に位置して薄肉部６００（前面６０の下方部位、第１下端面６４、第１垂直面６７）が形成されている。
【００３３】
図１５（Ｂ）に示すように、第１扉体２が閉鎖姿勢にある時に、第２水密部材６の第３下端面６６は、下枠１３の室内側下面１３１の室外側部位に接触しており、第２垂直面６８が下枠１３の室内側下面１３１の室外側先端に接触しており、第２下端面６５及び第１垂直面６７が第１水密部材（下枠側水密部材）４の膨出部４１に接触しており、第１下端面６４が下枠１３の室外側下面１３０に当接している。第１水密部材（下枠側水密部材）４のフィン４２は、室外側下面１３０及び第１垂直面６７の下端に接触している。第２水密部材６の下面の形状は、開口部閉鎖時に、第２水密部材６の下面が第１水密部材（下枠側水密部材）４に密着することで水密構造を得られるものであれば、図示の階段形状に限定されるものではない。例えば、第２下端面６５と第１垂直面６７で形成される面を、弧状面ないし湾曲面から形成してもよい。また、第２水密部材６の下面の形状は、第１水密部材（下枠側水密部材）４の断面形状によっても変わり得るものであることが当業者に理解される。
【００３４】
第２水密部材６は、第１扉体２の突設部５の溝部Ｇ５に装着された状態において、後面６１が底面５８に当接し、第１側面６２が第１側面に５６に当接し、第２側面６３が第２側面５７に当接する。前面６０は、第１扉体２の室内側面部２１よりも僅かに室外側に突出している。第２水密部材６の第１側面６２は、第１扉体２の戸先側端面２４と面一となっている。第２水密部材６の上方部位は、突設部５の上端５００よりも上方に位置し、第２水密部材６の下方部位は、突設部５の下端５０１よりも下方に位置している。第２水密部材６を突設部５の溝部Ｇ５に装着した状態において、第２水密部材６の前面６０と第１側面６２で形成される角部は、第１扉体２の室内側面部２１と戸先側端面２４で形成される角部に高さ方向に亘って接触ないし近接している。
【００３５】
図６、図１９に示すように、第１扉体２と第２扉体３が全閉姿勢にある時（開口部閉鎖時）には、第２扉体３の室内側面部３１の戸先側部位が、第２水密部材６の前面６０の部分（第２側面６３側の部分）に高さ方向に亘って密着している。第２扉体３の室内側面部３１の戸先側部位が第２水密部材６の前面６０の部分に密着した状態において、第２水密部材６の当該部分は弾性的に押し込まれており、第２水密部材６は圧縮された状態で第２扉体３の室内側面部３１に密着している。開口部閉鎖時に、閉鎖姿勢にある第１扉体２の戸先側に位置して設けた第２水密部材６に第２扉体３の室内側面部の戸先側部位が密着することで、召合せ部の水密構造を提供している。
【００３６】
本実施形態における、第１扉体２の下端部２５０（第２扉体３の下端）、突設部５の下端５０１、下枠１３の室外側下面１３０、下枠１３の室内側下面１３１（室外側下面１３０よりも高い位置にある）、溝部Ｇ４に装着された第１水密部材４（下枠側水密部材）の高さ位置について説明する。図１６に示すように、第１扉体２の下端部２５０（第２扉体３の下端）は、下枠１３の室外側下面１３０よりも高く、かつ、室内側下面１３１よりも低い位置にある。突設部５の下端５０１は、下枠１３の室内側下面１３１よりも高い位置にある。第１水密部材４（下枠側水密部材）は、下枠１３の室外側下面１３０と室内側下面１３１の間の高さに亘って位置している。第１扉体２の下端部２５０（第２扉体３の下端）は、第１水密部材４（下枠側水密部材）の中間高さに位置している。突設部５の下端５０１は第１扉体２の下端部２５０までは達しておらず、第１扉体２の下方部位は突設部５の下端５０１よりも下方に位置する。
【００３７】
第２水密部材６は、高さ方向において、突設部５の上端５００（すなわち、溝部Ｇ５の上端）よりも上方に位置する上方部位、溝部Ｇ５内に装着された部位、突設部５の下端５０１（すなわち、溝部Ｇ５の下端）よりも下方に位置する下方部位からなる。第２水密部材６の下方部位は、第１扉体２の下端部２５０よりも下方に位置する部分（薄肉部６００）を有している。開口部閉鎖時において、突設部５の下端５０１（すなわち、溝部Ｇ５の下端）は、下枠１３の室内側下面１３１の上方に離間して位置しており、第２水密部材６の下方部位は、下枠１３の室内側下面１３１よりも上側に位置する上側部６０Ａと、下枠１３の室内側下面１３１よりも下側に位置し、第１水密部材４（下枠側水密部材）に密着する下側部６０Ｂとからなる。本実施形態では、第２水密部材６の下方部位において、第３下端面６６よりも下方の部分が下側部６０Ｂ（薄肉部６００が含まれる）となっている（図１５（Ｂ）参照）。
【００３８】
第２水密部材６の下方部位は、突設部５の下端５０１（すなわち、溝部Ｇ５の下端）よりも下方に位置することから、下方部位は溝部Ｇ５に支持されない部位であり、下方部位の第１側面６２、第２側面６３、後面６１の周りには溝部Ｇ５はない。ここで、第２水密部材６の下方部位の下側部６０Ｂは、開口部閉鎖時には、室内側部位（第１垂直面６７、第２下端面６５）が第１水密部材４（下枠側水密部材）に密着しており、室内側部位（第２垂直面６８）が下枠１３の室内側下面１３１の室外側先端に当接している。第２水密部材６の下方部位に室内側に向かって作用した力は、第２水密部材６の下方部位の下側部６０Ｂと第１水密部材４（下枠側水密部材）の密着状態が維持されたままで、第１水密部材４（下枠側水密部材）及び下枠１３が受けるようになっている。
【００３９】
第２水密部材６の下方部位の上側部６０Ａにおいて、第１側面６２、第２側面６３、後面６１の周りには、ガイド溝Ｇ５、下枠１３、第１水密部材４（下枠側水密部材）はなく、上側部６０Ａは、これらの部材によって支持されていない。したがって、第２水密部材６の下方部位の上側部６０Ａは、第２水密部材６のガイド溝Ｇ５に挿入され支持されている部位（後面６１がガイド溝Ｇ５の底面５８に当接している）に比べて、例えば室外側から室内側へ向かう力に対して変形し易いと考えられる。
【００４０】
突設部５の下端５０１は第１扉体２の下端部２５０までは達しておらず、第１扉体２の室内側面部２１、戸先側端面２４は、突設部５の下端５０１よりも下方に位置する下方面部２１Ａ、２４Ａを備えている。第２水密部材６を突設部５の溝部Ｇ５に装着した状態において、第２水密部材６の前面６０と第１側面６２で形成される角部は、第１扉体２の室内側面部２１と戸先側端面２４で形成される角部に高さ方向に亘って接触ないし近接しており、第２水密部材６の下方部位（上側部６０Ａ）の前面６０と第１側面６２で形成される角部は、参考図である図２１に示すように、第１扉体２の下方部位の下方面部２１Ａと下方面部２４Ａで形成される角部に接触ないし近接することになる。本実施形態は、第２水密部材６の前面６０と第１側面６２で形成される角部について、特に上側部６０Ａにおいて、第１扉体２の下方部位の下方面部２１Ａと下方面部２４Ａで形成される角部との間からの漏水を防止するものである。
【００４１】
図１０〜１４に示すように、本実施形態では、第１扉体２において、下方面部２１Ａと下方面部２４Ａで形成される角部を覆うように下方面部２１Ａと下方面部２４Ａに亘って第３水密部材７が設けてある。第３水密部材７は、下方面部２４Ａに装着される第１部分７０と下方面部２１Ａに装着される第２部分７１とから断面視Ｌ形状で装着されている。
【００４２】
第１扉体２の下方部位に設けた第３水密部材７は、第２水密部材６の下方部位の上側部６０Ａを含む高さに亘って対向して設けられ、第３水密部材７は、上側部６０Ａにおいて前面６０と第１側面６２で形成される角部に密着する。本実施形態では、第３水密部材７の上端の高さ（図１８に第１部分７０の上端７００を示す）は突設部５の下端５０１に一致しており、第３水密部材７の下端（図１８に第１部分７０の下端７０１を示す）は第１扉体２の下端部２５０に一致している。こうすることで、第１扉体２の下方部位に設けた第３水密部材７（第１部分７０と第２部分７１で形成される角部）が、第２水密部材６の下方部位（上側部６０Ａを含む）の前面６０と第１側面６２で形成される角部に密着するようになっている（上側部６０Ａにおける横断面図である図２０参照）
【００４３】
図示の態様では、第３水密部材７は、第２部分７１の端縁を突設部５の戸尻側見込面５１に一致させ（図１１参照）、下端を第１扉体２の下端部２５０に一致させて取り付けられており（図１２参照）、このことは、第３水密部材７の取り付け時における位置決め及び作業性向上に有利であるが、図示の態様には限定されない。例えば、第２部分７１の端縁は突設部５の戸尻側見込面５１まで達していなくてもよく、また、第３水密部材７の下端は第１扉体２の下端部２５０まで達していなくてもよい。
【００４４】
本実施形態では、第３水密部材７の第１部分７０と第２部分７１で形成される角部と第２水密部材６の下方部位との間に隙間が生じて漏水することを防止することから、第３水密部材７を図示のように断面視Ｌ形状で装着したが、例えば、第２水密部材６の前面６０と第１扉体２の室内側面部２１が高さ方向に亘って近接ないし接触するようになっており、第２水密部材６の下方部位において、第２水密部材６の前面６０と第１扉体２の室内側面部２１との間に隙間が生じれ漏水することを防止する場合には、第３水密部材７は第１扉体２の室内側面部２１の下方部位にのみ設けたもの（いわば、第２部分７１のみ）でもよい。
【００４５】
１つの実施態様では、第３水密部材７は、水密性能に優れたゴム部材から形成される。１つの実施態様では、第３水密部材７は、第１水密部材４、第２水密部材６よりも軟らかく、大きい圧縮率を備えている。第１扉体２が閉鎖姿勢にある時に、第１扉体２の室内側面部２１の下方面部２１Ａに設けた第３水密部材７の第２部分７１が第１水密部材４（下枠側水密部材）に密着するが、この時、第３水密部材７の第２部分７１が圧縮して薄肉に潰れることで、第１水密部材４（下枠側水密部材）に対して隙間なく密着するようになっている。また、第１扉体２の下方部位に設けた第３水密部材７（第１部分７０と第２部分７１で形成される角部）を、圧縮させた状態で、第２水密部材６の下方部位（上側部位６０Ａを含む）の前面６０と第１側面６２で形成される角部に密着させることで、第２水密部材６の下方部位の上側部６０Ａが、前面６０が第１扉体２から離れる方向に室内側に変位しても（変位したとしても変位量は僅かであると考えられるが）、弾性圧縮した第３水密部材７が弾性によって圧縮前の状態に戻るように膨らむことで、密着状態が維持される。１つの好ましい実施例では、第３水密部材７はEPDMゴム発泡体を主成分としたエプトシーラー（登録商標）から形成される。
【００４６】
第２水密部材６の高さ方向の大部分は溝部Ｇ５に装着されており、溝部Ｇ５内に位置する高さ部位においては、第２水密部材６の前面６０と第１側面６２で形成される角部と第１扉体２の室内側面部２１と戸先側端面２４で形成される角部との間からの漏水（仮に生じたとしても）は、突設部５の室外側見付面５０と第１側面５６とによって密閉される。第２水密部材６の下方部位（突設部５の下端５０１より下方に位置する部位）は、開口部閉鎖時に、下枠１３の室内側下面１３１よりも上側に位置する上側部６０Ａと、下枠１３の室内側下面１３１よりも下側に位置し、第１水密部材４（下枠側水密部材）に密着する下側部６０Ｂとからなり、上側部６０Ａと第１扉体２とは第３水密部材７によって密着状態にあり、下側部６０Ｂは第１水密部材４（下枠側水密部材）に密着状態にあり、召合せ部の下方部位における水密構造が形成される。
【００４７】
上述のように、本実施形態では、丁番２６、３６としていわゆる二軸丁番を採用しており、閉鎖状態にある第１扉体２、第２扉体３を全体として、室内側に向かって押し込む（水圧や押圧手段による押圧）ことが可能となっており、開口部閉鎖姿勢として、通常の閉鎖姿勢である第１閉鎖姿勢と、第１閉鎖姿勢にある第１扉体２、第２扉体３を室内側に押し込んだ第２閉鎖姿勢とを取り得る。第２閉鎖姿勢では、第１扉体２及び第２扉体３の室内側面部２１、３１の周囲（戸先側部位を除く）が第１水密部材４に圧接され、第２扉体３の室内側面部３１の戸先側部位が第２水密部材６に圧接されることで、より密閉した状態で第１扉体２、第２扉体３を閉鎖できるようになっている。
【００４８】
この時、第１扉体２の下方部位の角部（室内側面部２１と戸先側端面２４で形成される）は、弾性的に圧縮された第３水密部材７を介して、第２水密部材６の下方部位の上側部６０Ａの角部（前面６０と第１側面６２で形成される）に密着しているので、第１扉体２の戸先側部位と第２扉体３の戸先側部位との間の隙間から浸入した水の水圧によって第２水密部材６の前面６０が室内側へ押されて、第２水密部材６の下方部位の上側部６０Ａが、第１扉体２から第２水密部材６の前面６０が離れる側に変位しても、圧縮した第３水密部材７が弾性によって圧縮前の状態に戻るように膨らむことで、密着状態が維持される。
【００４９】
突設部５の上端５００は上枠１０の室内側上面１０１に近接対向しており、下端５０１は下枠１３の室内側下面１３１に近接対向している。突設部５には、第１扉体２の閉鎖姿勢固定手段としてのフランス落とし８が設けてある。突設部５の上端５００、下端５０１に対してフランス落とし８のロッド８０が出没可能となっており、上枠１０の室内側上面１０１、下枠１３の室内側下面１３１の所定部位にはフランス落とし８のロッド８０の受け部８１が形成されており、第１扉体２が閉鎖姿勢にある時に、フランス落とし８のロッド８０を受け部８１に係止させることで、第１扉体２の閉鎖姿勢が維持される。本実施形態では、突設部５が溝部Ｇ５及びフランス落としを備えているが、溝部Ｇ５を備える部分とフランス落とし８を備える部分を別部材から形成してもよい。例えば、突設部５がフランス落とし８を有しない場合には、突設部を、第１扉体の室内側面部に当接する部位と溝部Ｇ５を備えたよりシンプルな形状から形成してもよい。
【００５０】
図２２を参照しつつ、第３水密部材の他の実施形態について説明する。図２２は図１５（Ａ）の右図と類似の図であり、共通する構成については、既述の記載を援用することができる。第２水密部材６の前面６０の下方部位には、下方部位の上側部６０Ａから下側部６０Ｂの一部（第２垂直面６８、第１垂直面６７の上側の一部に対応する高さ）に対応する高さに位置して、第３水密部材を構成する下方水密片６９が室外側に向かって突設されている。下方水密片６９の上端は、上側部６０Ａよりも上方に位置してもよい。下方水密片６９の下端は、第１扉体２の下端部２５０の高さに一致させてもよい。下方水密片６９は、第２水密部材６と一体成形されてもよく、あるいは、独立して成形したものを第２水密部材６に取り付け（接着等）てもよい。下方水密片６９は第１側面６２と面一の第１垂直面を備え、第１垂直面が第１扉体２の戸先側端面２４の下方面部２４Ａに面同士で密着した状態で固定（接着等）される。こうすることで、第２水密部材６の下方部位（突設部５の下端５０１よりも下方に位置する部位）と第１扉体２の下方部位の間からの漏水を防止する。
【００５１】
図２２の態様では、下方水密片６９は第２水密部材６の前面６０の下方部位に設けてあるが、下方水密片６９を上方に延ばしてもよく、例えば、第２水密部材６の前面６０の高さ方向全体あるいは所定高さ（例えば、想定水位高さ）に対応する高さまで延ばして設けることで召合せ部用補助水密部材を形成するようにしてもよい（この場合、召合せ部用補助水密部材の下方部位が下方水密片６９として機能する）。第２扉体３の閉鎖時に、第２水密部材６を押圧する第２扉体３が第２水密部材６をこじることで、第２水密部材６の第１側面６２と溝部Ｇ５の第１側面５６との間に隙間が生じ得るように作用したとしても、第２水密部材６の第１側面６２と面一で延びる召合せ部用補助水密部材が第１扉体２の戸先側端面２４に高さ方向に亘って密着した状態で固定されることで、第２水密部材６の第１側面６２と溝部Ｇ５の第１側面５６との間からの漏水を防止する。
【００５２】
図２３を参照しつつ、第３水密部材の他の実施形態について説明する。図２３（Ａ）は、第１扉体２及び第２扉体３の閉鎖姿勢時における横断面図であり、（Ｂ）は、第１扉体２のみの閉鎖姿勢時における横断面図である。第２水密部材６の前面６０の下方部位には、下方水密部材９が設けてある。下方水密部材９は、見付方向に延びる第１部分９０と見込方向に延びる第２部分９１とから平面視Ｌ形状を有しており、第１部分９０は、第２水密部材６の前面６０の全幅に亘って設けられ、第２部分９１は、第１扉体２の戸先側端面２４の室内側部位に設けられる。下方水密部材９は、独立して成形したものを第２水密部材６に設けてもよく、あるいは、第２水密部材６と一体成形されてもよい。下方水密部材９は、第２水密部材６の前面６０の下方部位と第１扉体２の戸先側端面２４の下方部位に跨るように設けられており、第２水密部材６の下方部位（突設部５の下端５０１よりも下方に位置する部位）と第１扉体２の下方部位の間からの漏水を防止する。
【００５３】
第２水密部材６の前面６０の下方部位と第１扉体２の戸先側端面２４の下方部位に跨るように設けられた下方水密部材９を上方に延ばしてもよく、例えば、第２水密部材６の前面６０の高さ方向全体あるいは所定高さ（例えば、想定水位高さ）に対応する高さまで延ばして設けることで召合せ部用補助水密部材を形成するようにしてもよい（この場合、召合せ部用補助水密部材の下方部位が下方水密片９として機能する）。第２扉体３の閉鎖時に、第２水密部材６を押圧する第２扉体３が第２水密部材６をこじることで、第２水密部材６の第１側面６２と溝部Ｇ５の第１側面５６との間に隙間が生じ得るように作用したとしても、下方水密部材９の第２部分９１が第１扉体２の戸先側端面２４に高さ方向に亘って密着した状態で固定されることで、第２水密部材６の第１側面６２と溝部Ｇ５の第１側面５６との間からの漏水を防止する。
【００５４】
図２４を参照しつつ、第３水密部材の他の実施形態について説明する。図２４（Ａ）は、第１扉体２の下方部位及び下枠を示す縦断面図であり、（Ｂ）は、第１扉体２の戸先側部位を室内側から見た図である。第１扉体２の室内側面部２１の下方部位２１Ａには、幅方向に亘って下方水密部材４´が設けてある。下方水密部材４´は、第２水密部材６の下方部位の上側部６０Ａに対応する高さに位置しており、下方水密部材４´の戸先側の端縁と第２水密部材６の下方部位とが密着状態で固定（接着）されており、第２水密部材６の下方部位（突設部５の下端５０１よりも下方に位置する部位）と第１扉体２の下方部位の間からの漏水を防止する。第１扉体２の閉鎖姿勢時には、下方水密部材４´が下枠１３の立ち上がり面１３２に密着することで、ドア装置の下端部位の水密構造を形成している。すなわち、上述の実施形態では、下枠１３に第１水密部材（下枠側水密部材）４が設けてあるのに対して、図２４の実施形態では、下枠側水密部材に相当する要素が、第１扉体２側に設けてある。同様に、第２扉体３の室内側面部３１の下方部位にも、幅方向に亘って下方水密部材（図示せず）が設けてあり、第２扉体３の閉鎖姿勢時には、下方水密部材が下枠１３の立ち上がり面１３２に密着して、第２扉体３の下端部位の水密構造を形成する。下方水密部材４´は、第１扉体２の下方部位と第２水密部材（召合せ部用水密部材）の下方部位との間の水密性を確保する他の下方水密部材（第３水密部材７、下方水密片６９、下方水密部材９）と併用してもよい。また、ドア枠側に第１水密部材を設けることに代えて、第１扉体２の上側、戸尻側、下側に、上方水密部材、戸尻側水密部材、下方水密部材４´を連続状に設けて、第２扉体３の上側、戸尻側、下側に、上方水密部材、戸尻側水密部材、下方水密部材を連続状に設けてもよい。
【００５５】
召合せ部の下部の防水構造について説明したが、類似の構造を用いて召合せ部の上部の防水構造を構成することができる。上述の召合せ部の下部の防水構造と召合せ部の上部の防水構造の対応関係は当業者において容易に理解し得る事項であるが、以下に説明を加える。上述の実施形態では、第２水密部材６の上面６０１は、上枠１０の室内側上面１０１の室外側部位に接触しているが（図３）、図２５に示すように、第２水密部材６の上方部位を上枠１０の室内側上面１０１を越えて上方に延びるように形成してもよい。一例では、図２６に示すように、第２水密部材６の上面は前面６０側の最上端の第１上端面６４´、中間の第２上端面６５´、後面６１側の第３上端面６６´から階段状になっており、第１上端面６４´と第２上端面６５´は第１垂直面６７´で連結され、第２上端面６５´と第３上端面６６´は第２垂直面６８´で連結されている。第２水密部材６の上方部位には、室外側に位置して薄肉部６００´（前面６０の上方部位、第１上端面６４´、第１垂直面６７´）が形成されている。第１扉体２が閉鎖姿勢にある時に、第２水密部材６の第３上端面６６´は、上枠１０の室内側下面１０１の室外側部位に接触しており、第２垂直面６８´上枠１０の室内側下面１０１の室外側先端に接触しており、第２上端面６５´及び第１垂直面６７´が第１水密部材（上枠側水密部材）４に接触する。すなわち、第２水密部材６の上方部位において、上枠１０の室内側下面１０１よりも上側に位置する部位は、第１水密部材４（上枠側水密部材）に密着する。
【００５６】
第１扉体２において、室内側面部２１の上方部位と戸先側端面２４の上方部位で形成される角部を覆うように上方水密部材７´が設けられる。上方水密部材７´は、戸先側端面２４の上方部位に装着される第１部分７０´と室内側面部２１の上方部位に装着される第２部分７１´とから断面視Ｌ形状で装着されている。第１扉体２の上方部位に設けた上方水密部材７´は、第２水密部材６の上方部位（突設部５の上端５００の上側に位置する部位）に対向して設けられる。第２水密部材６の上方部位において、第１扉体２の上方部位に設けた上方水密部材７´（第１部分７０´と第２部分７１´で形成される角部）が、第２水密部材６の前面６０と第１側面６２で形成される角部に密着するようになっており（上方部位における横断面図である図２７参照）、上方水密部材７´の第１部分７０´と第２部分７１´で形成される角部と第２水密部材６の上方部位との間に隙間が生じて漏水することを防止する。また、第１扉体２が閉鎖姿勢にある時に、上方水密部材７´の第２部分７１´が第１水密部材４（上枠側水密部材）に密着する。
【００５７】
召合せ部の下部の防水構造と召合せ部の上部の防水構造の対応関係において、第３水密部材７に対応する上方水密部材７´を例にとって説明したが、下方水密片６９に対応する上方水密片や下方水密部材４´に対応する上方水密部材を用いた召合せ部の下部の防水構造、下方水密部材９の上方部位を用いた召合せ部の下部の防水構造を構成し得ることが当業者に理解される。
【００５８】
召合せ部の上部の防水構造を以下のように規定することができる。
第１扉体と第２扉体からなる両開きドア装置の召合せ部の防水構造であって、
第１扉体の戸先側に位置させて高さ方向に設けられ、開口部閉鎖時に第２扉体の戸先側部位が密着する召合せ部用水密部材と、
前記召合せ部の上部に設けられ、前記第１扉体の上方部位と前記召合せ部用水密部材の上方部位との間の水密性を確保する上方水密部材と、
を備えた、両開きドア装置の召合せ部の防水構造。
１つの態様では、前記上方水密部材は、前記第１扉体の上方部位に密着、または固定されており、前記召合せ部用水密部材の上方部位に密着、または固定、または一体形成されている。
１つの態様では、前記召合せ部用水密部材は、第１扉体の戸先側に位置させて高さ方向に設けられた支持部に装着されており、前記召合せ部用水密部材の前記上方部位は、前記支持部の上端よりも上方に位置する部位である。
１つの態様では、ドア装置のドア枠の上枠には、開口部閉鎖時に第１扉体及び第２扉体、及び、前記召合せ部用水密部材が密着する上枠側水密部材が設けてある。
１つの態様では、前記召合せ部用水密部材の上方部位は、下側部（支持部の上端と上枠との間の高さ位置にある部位を含む）と上側部とからなり、前記上方水密部材は少なくとも前記下側部に密着しており、開口部閉鎖時に前記上側部は前記上枠側水密部材に密着する。
１つの態様では、開口部閉鎖時には、前記上方水密部材の部分が前記上枠側水密部材に密着する。
１つの態様では、前記上方水密部材は、第１扉体の戸先側の上方部位に設けられ、前記召合せ部用水密部材の上方部位に密着ないし固定される。
１つの態様では、前記上方水密部材は、前記第１扉体の上方部位の第１面部及び戸先側端面で形成される角部を覆うように設けてある。
１つの態様では、前記上方水密部材は、前記召合せ部用水密部材の上方部位に設けられ、前記第１扉体の戸先側の上方部位に密着ないし固定される。
【符号の説明】
【００５９】
１  ドア枠
１３  下枠
２  第１扉体
２１  室内側面部（第１面部）
２１Ａ  下方面部
２４  戸先側端面
２４Ａ  下方面部
３  第２扉体
３１  室内側面部（第１面部）
３４  戸先側端面
４  第１水密部材（下枠側水密部材）
４´  下方水密部材
５  突設部
６  第２水密部材（召合せ部用水密部材）
６０Ａ  下方部位の上側部
６０Ｂ  下方部位の下側部
６９    下方水密片（下方水密部材）
７  第３水密部材（下方水密部材）
７０  第１部分
７１  第２部分
９  下方水密部材
Ｇ１〜Ｇ５  溝部
【図１】
2018172872.tif 000003
【図２】
2018172872.tif 000004
【図３】
2018172872.tif 000005
【図４】
2018172872.tif 000006
【図５】
2018172872.tif 000007
【図６】
2018172872.tif 000008
【図７】
2018172872.tif 000009
【図８】
2018172872.tif 000010
【図９】
2018172872.tif 000011
【図１０】
2018172872.tif 000012
【図１１】
2018172872.tif 000013
【図１２】
2018172872.tif 000014
【図１３】
2018172872.tif 000015
【図１４】
2018172872.tif 000016
【図１５】
2018172872.tif 000017
【図１６】
2018172872.tif 000018
【図１７】
2018172872.tif 000019
【図１８】
2018172872.tif 000020
【図１９】
2018172872.tif 000021
【図２０】
2018172872.tif 000022
【図２１】
2018172872.tif 000023
【図２２】
2018172872.tif 000024
【図２３】
2018172872.tif 000025
【図２４】
2018172872.tif 000026
【図２５】
2018172872.tif 000027
【図２６】
2018172872.tif 000028
【図２７】
2018172872.tif 000029